【手続補正書】
【提出日】令和3年8月25日(2021.8.25)
【手続補正１】
【補正対象書類名】特許請求の範囲
【補正対象項目名】全文
【補正方法】変更
【補正の内容】
【特許請求の範囲】
【請求項１】
互いに交差する上下方向と左右方向と前後方向とを有し、
液吸収性の吸収性本体と、
前記左右方向に伸縮性を有する胴回り部を備え、前記吸収性本体の非肌側面を覆うように設けられた外装体と、
を有するパンツ型吸収性物品であって、
揮発性を有する冷感剤が前記吸収性本体に設けられており、
前記吸収性本体の長手方向の両端部は、前記前後方向に見て、前記吸収性本体を構成する少なくとも一つの本体側端部シート部と、前記外装体を構成する少なくとも一つの外装体側シート部と重なっており、
前記胴回り部を前記左右方向に伸張させた状態において、前記本体側端部シート部と前記外装体側シート部のうち、前記前後方向に隣接しているシート部同士を接合する接合領域が、前記左右方向に間欠的に設けられている
ことを特徴とするパンツ型吸収性物品。
【請求項２】
互いに交差する上下方向と左右方向と前後方向とを有し、
トップシートと、吸収性コアと、バックシートとを備えた吸収性本体と、
前記吸収性本体の非肌側面を覆うように設けられた外装体と、  
を有するパンツ型吸収性物品であって、
揮発性を有する冷感剤が前記吸収性本体に塗布されており、
前記バックシートは、透湿性を有し、前記吸収性コアよりも非肌側に設けられており、
前記冷感剤が塗布されている塗布領域の非肌側には、前記冷感剤を備えていることを想起させるための想起表示が、外部から視認可能に設けられている
ことを特徴とするパンツ型吸収性物品。
【請求項３】
請求項１又は２に記載のパンツ型吸収性物品であって、
前記外装体は、胴回り部を備え、
前記胴回り部は、前記吸収性本体の長手方向の両端よりも前記長手方向の外側に、前記左右方向に伸縮可能な複数の弾性部材を有し、
前記前後方向に見て、前記胴回り部と前記吸収性本体の前記長手方向の両端部とが重なる重複部分の剛性と、前記吸収性本体の前記長手方向の両端よりも前記長手方向の外側の部分の剛性とを比較した場合に、前記重複部分の剛性の方が大きい
ことを特徴とするパンツ型吸収性物品。
【請求項４】
請求項１又は２に記載のパンツ型吸収性物品であって、
前記外装体は、前記左右方向に伸縮可能な複数の弾性部材を有する胴回り部を備え、
前記前後方向に見て、前記吸収性本体の長手方向の両端部と、前記複数の弾性部材の少なくとも一部とが重なる部分を有する
ことを特徴とするパンツ型吸収性物品。
【請求項５】
請求項１から４の何れか１項に記載のパンツ型吸収性物品であって、
前記吸収性本体は、トップシートと、吸収性コアと、バックシートとを備え、
前記吸収性本体の長手方向の両端部は、少なくとも前記トップシート側から前記バックシートに向かってエンボスすることにより形成されたエンボス部を前記左右方向に間欠的に有している
ことを特徴とするパンツ型吸収性物品。
【請求項６】
請求項１から５の何れか１項に記載のパンツ型吸収性物品であって、
前記吸収性本体は、着用者の股下に対向する股下部の前記左右方向の中央部において、前記吸収性本体の長手方向に伸縮可能な中央弾性部材を有し、
前記前後方向に見て、前記中央弾性部材の少なくとも一部が前記冷感剤と重なっている
ことを特徴とするパンツ型吸収性物品。
【請求項７】
請求項６に記載のパンツ型吸収性物品であって、
前記パンツ型吸収性物品を前記上下方向に伸長させた状態において、
前記パンツ型吸収性物品の前記前後方向の前側における前記中央弾性部材の前記上下方向の長さが、前記パンツ型吸収性物品の前記前後方向の後側における前記中央弾性部材の前記上下方向の長さよりも短い
ことを特徴とするパンツ型吸収性物品。
【請求項８】
互いに交差する上下方向と左右方向と前後方向とを有し、
液吸収性の吸収性本体と、
前記吸収性本体の非肌側面を覆うように設けられた外装体と、
を有するパンツ型吸収性物品であって、
揮発性を有する冷感剤が前記吸収性本体に塗布されており、
前記吸収性本体の前記左右方向の両側部に設けられ、前記吸収性本体の長手方向に伸縮する弾性部材を備えた防漏壁を有し、
前記吸収性本体の前記長手方向の両端部において、
前記左右方向の両側部では、前記防漏壁が前記吸収性本体に肌側から重なっており、
前記左右方向の中央部では、前記防漏壁と前記吸収性本体とが重なっておらず、
前記冷感剤が塗布されている塗布領域の非肌側には、前記冷感剤を備えていることを想起させるための想起表示が、外部から視認可能に設けられている
ことを特徴とするパンツ型吸収性物品。
【請求項９】
請求項１から８の何れか１項に記載のパンツ型吸収性物品であって、
前記冷感剤が、前記吸収性本体の少なくとも長手方向の中央部に塗布されている
ことを特徴とするパンツ型吸収性物品。
【請求項１０】
請求項１から９の何れか１項に記載のパンツ型吸収性物品であって、
前記パンツ型吸収性物品を前記上下方向に伸長させた状態において、
前記吸収性本体の前記前後方向の前側における前記上下方向の寸法が、前記吸収性本体の前記前後方向の後側における前記上下方向の寸法よりも小さい
ことを特徴とするパンツ型吸収性物品。
【請求項１１】
請求項１から１０の何れか１項に記載のパンツ型吸収性物品であって、
前記吸収性本体は、前記吸収性本体の長手方向に沿って延在する一対の圧搾部を有することを特徴とするパンツ型吸収性物品。
【請求項１２】
請求項１１に記載のパンツ型吸収性物品であって、
前記一対の圧搾部は、前記吸収性本体の前記長手方向に間欠的に配置されている
ことを特徴とするパンツ型吸収性物品。
【請求項１３】
請求項１から１２の何れか１項に記載のパンツ型吸収性物品であって、
前記吸収性本体は、前記吸収性本体の長手方向に沿った液吸収性の吸収性コアを有し、
前記吸収性コアの前記長手方向の両端部の厚みは、前記吸収性コアの前記長手方向の中央領域の厚みよりも薄い
ことを特徴とするパンツ型吸収性物品。
【請求項１４】
請求項１３に記載のパンツ型吸収性物品であって、
前記吸収性コアの前記中央領域には、周囲よりも厚みが厚い中高部が設けられている
ことを特徴とするパンツ型吸収性物品。
【請求項１５】
請求項１４に記載のパンツ型吸収性物品であって、
前記前後方向における後側は、着用者の背側に対応し、
前記吸収性コアは、前記中高部よりも前記後側に、周囲よりも厚みが厚い後方中高部を有している
ことを特徴とするパンツ型吸収性物品。
【請求項１６】
請求項１から１３の何れか１項に記載のパンツ型吸収性物品であって、
前記吸収性本体は、前記吸収性本体の長手方向に沿った液吸収性の吸収性コアを有し、
前記吸収性コアは、前記吸収性コアの坪量が周囲よりも低い複数の低坪量部、或いは、前記吸収性コアの坪量がゼロである複数のスリット部を有し、
前記複数の低坪量部或いは前記複数のスリット部は、前記吸収性コアの長手方向及び前記左右方向に沿って延在し、前記吸収性コアを複数の区画に分ける
ことを特徴とするパンツ型吸収性物品。
【請求項１７】
請求項１から１６の何れか１項に記載のパンツ型吸収性物品であって、
前記吸収性本体の長手方向の端部において、前記外装体と貼り合わされている前記左右方向の貼り合わせ長さは、前記吸収性本体の前記長手方向の中央部において、前記外装体と貼り合わされている前記左右方向の貼り合わせ長さよりも長い
ことを特徴とするパンツ型吸収性物品。
【請求項１８】
請求項８から１７の何れか１項に記載のパンツ型吸収性物品であって、
前記吸収性本体は、液吸収性の吸収性コアを有し、
前記吸収性コアは、長手方向の両端部の間に、前記両端部よりも前記左右方向の幅が狭い括れ部を有する、
ことを特徴とするパンツ型吸収性物品。
【請求項１９】
請求項１から１８の何れか１項に記載のパンツ型吸収性物品であって、
前記吸収性本体がポリマーシートからなる
ことを特徴とするパンツ型吸収性物品。
【請求項２０】
請求項１９に記載のパンツ型吸収性物品であって、
前記ポリマーシートには、前記ポリマーシートの長手方向に延在する、ポリマーが存在しない一対のポリマー非存在域が設けられている
ことを特徴とするパンツ型吸収性物品。
【請求項２１】
請求項１から２０の何れか１項に記載のパンツ型吸収性物品であって、
一対の脚回り開口部を有し、
前記一対の脚回り開口部の前記上下方向の上半分において、前記一対の脚回り開口部それぞれに沿った湾曲弾性部材を有する
ことを特徴とするパンツ型吸収性物品。
【請求項２２】
請求項１に記載のパンツ型吸収性物品であって、
前記冷感剤が塗布されている塗布領域の非肌側には、前記冷感剤を備えていることを想起させるための想起表示が、外部から視認可能に設けられている
ことを特徴とするパンツ型吸収性物品。
【請求項２３】
請求項１から２２の何れか１項に記載のパンツ型吸収性物品であって、
前記吸収性本体には、改質剤が塗布されており、
前記前後方向に見て、前記改質剤と前記冷感剤とが重なる重複領域と、前記改質剤と前記冷感剤とが重ならない非重複領域とを有する
ことを特徴とするパンツ型吸収性物品。
【請求項２４】
請求項１から２３の何れか１項に記載のパンツ型吸収性物品であって、
前記外装体を構成するシート材、或いは、前記吸収性本体のうちの着用者の肌に接触する肌側シートは、コットン繊維を有するシートである
ことを特徴とするパンツ型吸収性物品。
【請求項２５】
請求項１から１３、１７から２４の何れか１項に記載のパンツ型吸収性物品であって、
前記吸収性本体には、前記左右方向の中央部、且つ、前記パンツ型吸収性物品の前記前後方向の少なくとも後側において、前記吸収性本体の長手方向に延び、且つ、非肌面側から圧搾された中央圧搾部が設けられている
ことを特徴とするパンツ型吸収性物品。
【請求項２６】
請求項１から１３、１７から２４の何れか１項に記載のパンツ型吸収性物品であって、
前記吸収性本体は、前記吸収性本体の長手方向に沿った液吸収性の吸収性コアを有し、
少なくとも着用者の股下に対向する股下部において、前記吸収性コアの前記左右方向の両側部には、周囲よりも厚みが厚い部分が設けられている、
ことを特徴とするパンツ型吸収性物品。
【手続補正２】
【補正対象書類名】明細書
【補正対象項目名】０００９
【補正方法】変更
【補正の内容】
【０００９】
上記目的を達成するための主たる発明は、
互いに交差する上下方向と左右方向と前後方向とを有し、
液吸収性の吸収性本体と、
前記左右方向に伸縮性を有する胴回り部を備え、前記吸収性本体の非肌側面を覆うように設けられた外装体と、
を有するパンツ型吸収性物品であって、
揮発性を有する冷感剤が前記吸収性本体に設けられており、
前記吸収性本体の長手方向の両端部は、前記前後方向に見て、前記吸収性本体を構成する少なくとも一つの本体側端部シート部と、前記外装体を構成する少なくとも一つの外装体側シート部と重なっており、
前記胴回り部を前記左右方向に伸張させた状態において、前記本体側端部シート部と前記外装体側シート部のうち、前記前後方向に隣接しているシート部同士を接合する接合領域が、前記左右方向に間欠的に設けられている
ことを特徴とするパンツ型吸収性物品である。
本発明の他の特徴については、本明細書及び添付図面の記載により明らかにする。